(57)【要約】【課題】  ベル音の音量を増加させることの可能な打鈴装置を得ること。【解決手段】  筐体（１０）内に、モータ（Ｍ）と、当該モータで回転駆動される打ち玉（２）と、当該打ち玉で打鈴される半球状のリン（２０）とを備え、筐体（１０）の正面部から少なくともリン（２０）の一つの領域を露出した打鈴装置（１）において、筐体（１０）内に、リン（２０）の上方曲面部（２１）を固着する鈴受け部材（３０）と、リン（２０）の下方に配置される下板（５）と、を備え、鈴受け部材（３０）は、リン（２０）の前記露出した一つの領域を除き、当該リン（２０）の上方曲面部（２１）に沿った形状で当該上方曲面部に対し一定の間隔（Ｘ）を設けて形成された下方曲面部（３１）を備え、リン（２０）の下端周縁部（２２）と下板（５）との間に間隔（Ｙ）を設けた打鈴装置。【選択図】  図２
2018063278.tif 000002
【特許請求の範囲】
【請求項１】
筐体（１０）内に、モータ（Ｍ）と、当該モータで回転駆動される打ち玉（２）と、当該打ち玉で打鈴される半球状のリン（２０）とを備え、前記筐体（１０）の正面部から少なくとも前記リン（２０）の一つの領域を露出した打鈴装置（１）において、
前記筐体（１０）内に、前記リン（２０）の上方曲面部（２１）を固着する鈴受け部材（３０）と、前記リン（２０）の下方に配置される下板（５）と、を備え、
前記鈴受け部材（３０）は、前記リン（２０）の前記露出した一つの領域を除き、当該リン（２０）の上方曲面部（２１）に沿った形状で当該上方曲面部に対し一定の間隔（Ｘ）を設けて形成された下方曲面部（３１）を備え、
前記リン（２０）の下端周縁部（２２）と前記下板（５）との間に間隔（Ｙ）を設けたことを特徴とする打鈴装置。
【請求項２】
前記半球状のリン（２０）の外径が６０ｍｍのとき、間隔（Ｘ）は、３ｍｍ〜５ｍｍ、好ましくは、３．５ｍｍであることを特徴とする請求項１記載の打鈴装置。
【請求項３】
前記半球状のリン（２０）の外径が６０ｍｍのとき、間隔（Ｙ）は、１ｍｍ〜３ｍｍ、好ましくは、２ｍｍであることを特徴とする請求項１記載の打鈴装置。
【発明の詳細な説明】
【技術分野】
【０００１】
本発明は、モータで回転駆動される打ち玉と当該打ち玉で打鈴されるリンを備えた打鈴装置に関する。
【背景技術】
【０００２】
従来、この種の打鈴装置はベル目覚まし時計に多用されており、ベル目覚ましの音量が大きなものの特徴としては下記の２つの態様のものが知られている。
【０００３】
一つはベル径が９０〜１００ｍｍの大きいベルを使用するものであり、他のものは打ち玉の回転数を上げたり、ベルを複数用いて、打鈴のパワーを上げるものである。
【先行技術文献】
【特許文献】
【０００４】
【特許文献１】実公平７−４３７５８号公報
【特許文献２】特許第３４８５７８３号公報
【発明の概要】
【発明が解決しようとする課題】
【０００５】
上記従来の打鈴装置は、音量は大きくなるものの、ベルが大型化してコストが増加したり、駆動電流が増えることにより電池寿命が低下するなどの不具合があり、また、ほとんどの製品が大きくて無骨なものとなっていた。
【０００６】
そこで、本発明は、この種の打鈴装置において、ベルを囲む形状を工夫することにより、ベル目覚まし音の音量を増加させることの可能な打鈴装置を得ることを目的とするものである。
【課題を解決するための手段】
【０００７】
本願第１請求項に記載した発明は、実施例で用いた符号を付して記すと、筐体１０内に、モータＭと、当該モータで回転駆動される打ち玉２と、当該打ち玉で打鈴される半球状のリン２０とを備え、前記筐体１０の正面部から少なくとも前記リン２０の一つの領域を露出した打鈴装置１において、
前記筐体１０内に、前記リン２０の上方曲面部２１を固着する鈴受け部材３０と、前記リン２０の下方に配置される下板５と、を備え、
前記鈴受け部材３０は、前記リン２０の前記露出した一つの領域を除き、当該リン２０の上方曲面部２１に沿った形状で当該上方曲面部に対し一定の間隔Ｘを設けて形成された下方曲面部３１を備え、
前記リン２０の下端周縁部２２と前記下板５との間に間隔Ｙを設けたことを特徴とする打鈴装置である。
【０００８】
本願第２請求項に記載した発明は、請求項１において、半球状のリン２０の外径が６０ｍｍのとき、間隔Ｘは、３ｍｍ〜５ｍｍであり、好ましくは、３．５ｍｍであることを特徴とする打鈴装置である。
【０００９】
本願第３請求項に記載した発明は、請求項１において、半球状のリン２０の外径が６０ｍｍのとき、間隔Ｙは、１ｍｍ〜３ｍｍであり、好ましくは、２ｍｍであることを特徴とする打鈴装置である。
【発明の効果】
【００１０】
本願第１請求項に記載した発明によれば、鈴受け部材３０の下方曲面部３１を、一定の間隔Ｘに保ちつつ、リン２０の上方曲面部２１に沿った形状で、正面以外を覆うと、正面の音量が増幅する結果を得た。また、リン２０の下端周縁部２２と下板５との間に間隔Ｙを設けると、音量が増幅する結果を得た。
【００１１】
さらに、本願第２請求項に記載した発明のように、半球状のリン２０の外径が６０ｍｍのとき、間隔Ｘは、３ｍｍ〜５ｍｍ、好ましくは、３．５ｍｍの場合に音量が一層増幅する結果を得た。
【００１２】
また、本願第３請求項に記載した発明のように、半球状のリン２０の外径が６０ｍｍのとき、間隔Ｙは、１ｍｍ〜３ｍｍ、好ましくは、２ｍｍの場合に音量が一層増幅する結果を得た。
【００１３】
このように、本発明によれば、ベルを囲む形状を工夫することにより、コストをかけずに、また、電池寿命を短くせずに、ベル目覚まし音の音量を増加させることの可能な打鈴装置を実現することができる。
【図面の簡単な説明】
【００１４】
【図１】本発明の実施例に係る打鈴装置の正面図である。
【図２】本発明の実施例に係る打鈴装置の縦断側面図である。
【図３】本発明の実施例に係り、打鈴装置のリンの箇所を示す縦断側面図である。
【図４】本発明の実施例に係り、鈴受け部材を示す斜視図である。
【図５】本発明の実施例に係り、リンの外径が６０ｍｍのときの間隔Ｙ（ベル高さ）と音圧（ｄＢ）との関係を示す測定表である。
【発明を実施するための形態】
【００１５】
以下に、本発明の実施例を図面に基づいて説明する。
【００１６】
本例の打鈴装置１は、筐体１０内に、モータＭと、当該モータで回転駆動される打ち玉２と、当該打ち玉で打鈴される半球状のリン２０とを備えている。そして、リン２０は、少なくともその一つの領域が、筐体１０の正面部から露出している。
【００１７】
なお、この実施例では、打鈴装置１に時計装置３を組み込んで、例えば目覚まし設定時刻になると、モータＭが駆動し、これに伴い打ち玉２が回転駆動して、リン２０を打鈴するように構成されている。
【００１８】
また、筐体１０は、時計装置３が装着された前枠１１と、背後から時計装置３を覆う後枠１２とから構成されている。さらに、本例では、筐体１０の内部下側に、リン２０およびモータＭを保持する鈴受け部材３０を備え、さらにリン２０の下方に下板５を配置している。
【００１９】
リン２０は、半球状を呈しており、本例の場合、６０ｍｍ径のものを用いている。さらに、リン２０は、半球状の上方曲面部２１を、下方からネジ４を介して鈴受け部材３０に固着している。また、リン２０の下部には、円弧状の下端周縁部２２を設けている。
【００２０】
さらに、リン２０の下方には、下板５が筐体１０の後枠１２に固定されている。なお、本例では、前述したように、リン２０の一つの領域が筐体１０の正面部から露出していて、鈴受け部材３０と下板５とでホーン構造を形成している。このホーン構造は、正面方向へのみ音を増幅するため指向性が高いという副次的効果も奏する。
【００２１】
鈴受け部材３０は、図２〜図４に示すように、リン２０の上方曲面部２１に沿った形状の下方曲面部３１を備える。この下方曲面部３１と前記上方曲面部２１との間には所定の間隔Ｘを設けている。なお、符号３２は、モータ収納部である（図４参照）。
【００２２】
鈴受け部材３０と下板５とで形成されるホーン構造において、前述のように、鈴受け部材３０の下方曲面部３１を、一定の間隔Ｘに保ちつつ、リン２０の上方曲面部２１に沿った形状で、正面以外を覆うと、正面の音量が増幅する結果を得たものである。そして、本例の場合、半球状のリン２０の外径が６０ｍｍのとき、間隔Ｘは、３ｍｍ〜５ｍｍが好ましく、より一層好ましくは、３．５ｍｍの場合に音量が一層増幅する結果を得ている。
【００２３】
また、下板５は、リン２０の下端周縁部２２に対し一定の間隔Ｙを設けて配置されている。このようにリン２０の下端周縁部２２と下板５との間に間隔を設けた場合は、リン２０と下板５間を反響するリンの音響が、正面方向へ増幅されるという結果を得ている。
【００２４】
そして、半球状のリン２０の外径が６０ｍｍのとき、間隔Ｙは、図５に示すように、１ｍｍ〜３ｍｍが好ましく、より一層好ましくは、２ｍｍの場合に音量が一層増幅する結果を得ている。すなわち、間隔Ｙが、１ｍｍに満たないと音響は外部へ出にくくなり、３ｍｍを越えると音響効果が低下するものである。
【００２５】
以上説明したように、本例の打鈴装置は、合理的に構成されたものであって、コンパクトなデザインでリンの形状も比較的小さいものであるが、音量を増幅することができるものである。尚、本例における各部の構成は、特許請求の範囲に記載した技術的範囲において適宜に設計変更が可能であり、図例説明したものに限定されないことは勿論である。
【産業上の利用可能性】
【００２６】
本発明の打鈴装置は、とりわけ目覚まし時計に組み込んで好適に利用することが可能である。
【符号の説明】
【００２７】
１    打鈴装置
２    打ち玉
３    時計装置
４    ネジ
５    下板
１０    筐体
１１    前枠
１２    後枠
２０    リン
２１    上方曲面部
２２    下端周縁部
３０    鈴受け部材
３１    下方曲面部
３２    モータ収納部
Ｍ    モータ
Ｘ    間隔（鈴受け部材の下方曲面部とリンの上方曲面部との間隔）
Ｙ    間隔（リンの下端周縁部と下板との間隔）
【図１】
2018063278.tif 000003
【図２】
2018063278.tif 000004
【図３】
2018063278.tif 000005
【図４】
2018063278.tif 000006
【図５】
2018063278.tif 000007